(57)【要約】      （修正有）【課題】排出トレイに排出された記録材の確認を容易に行うための画像形成装置を提供する。【解決手段】プリンター１は、用紙に画像形成処理を施す画像形成部を内包する装置本体２と、装置本体２の上部に配設され、画像形成処理後に排出される用紙を受ける排出トレイ７と、を備え、装置本体２の上端面は、排出トレイ７の外縁部２３と同一平面を成し、用紙が載置される排出トレイ７の積載面２２は、暗色で着色され、装置本体２の上端面は、排出トレイ７の積載面２２よりも明度の高い色で着色される明色部３０を構成していることを特徴とする。【選択図】図２
2015202939.tif 000002
【特許請求の範囲】
【請求項１】
シート状の記録材に画像形成処理を施す画像形成部を内包する装置本体と、
前記装置本体の上部に配設され、画像形成処理後に排出される前記記録材を受ける排出トレイと、を備え、
前記装置本体の上端面は、前記排出トレイの外縁部と同一平面を成し、
前記記録材が載置される前記排出トレイの積載面は、暗色で着色され、
前記装置本体の上端面および前記排出トレイの外縁部のうち少なくとも一方は、前記排出トレイの積載面よりも明度の高い色で着色される明色部を構成していることを特徴とする画像形成装置。
【請求項２】
前記排出トレイは、
前記積載面を含むトレイ本体と、
前記トレイ本体の一端側から上方に突設され、前記記録材の排出口が形成される段差面を有する凸状部と、を含み、
前記段差面は、前記排出口の周囲を暗色で着色し、
前記装置本体は、前記段差面の外縁部と同一平面を成す起立面を有し、
前記明色部は、前記起立面および前記段差面の外縁部のうち少なくとも一方に形成されていることを特徴とする請求項１に記載の画像形成装置。
【請求項３】
前記明色部は、前記排出トレイの周囲に帯状に連続して形成されていることを特徴とする請求項１または２に記載の画像形成装置。
【請求項４】
前記排出トレイの積載面は、前記外縁部よりも下方に凹設されていることを特徴とする請求項１ないし３のいずれかに記載の画像形成装置。
【請求項５】
原稿の画像情報を読み取る画像読取装置を更に備え、
前記装置本体は、前記画像読取装置の下方に設けられ、
前記排出トレイは、前記装置本体と前記画像読取装置との間に設けられていることを特徴とする請求項１ないし４のいずれかに記載の画像形成装置。
【発明の詳細な説明】
【技術分野】
【０００１】
本発明は、プリンターや複合機等に好適に用いられる画像形成装置に関する。
【背景技術】
【０００２】
従来、プリンター等の画像形成装置は、枚葉のコピー用紙等の記録材に画像形成処理（印刷）を実行し、印刷した記録材を排出トレイ上に排出する。
【０００３】
例えば、特許文献１には、外装カバー（装置本体）の上面に形成された排紙口および排紙面（排出トレイ）を備えたプリンターが開示されている。排出トレイは外装カバーの上面に設けられているため、ユーザーが排出された用紙を容易に確認することができると共に用紙を容易に取り上げることができるようになっている。
【０００４】
このようなプリンターは、例えば、オフィスのデスク上に設置されることが多い。このため、プリンターの装置本体や排出トレイは、デスクの上面やオフィスの内装の色彩に合わせて、明るい色で着色される。
【先行技術文献】
【特許文献】
【０００５】
【特許文献１】特開２００２−３０７７７８号公報
【発明の概要】
【発明が解決しようとする課題】
【０００６】
ところで、複数のユーザーが１台のプリンターを共用する場合、オフィスのレイアウトの都合によって、プリンターから離れた場所にデスクを配置することがある。この場合、当該プリンターを離れた位置から使用するユーザーは、用紙の排出を容易に認識することができなかった。特に、プリンターの装置本体や排出トレイが明るい色である場合、用紙との明度差が小さいため、排出トレイと用紙との区別がつき難かった。したがって、特許文献１に記載のプリンターは、排出トレイに用紙が排出されたか否かの判断を容易に行うことができないという問題を有していた。この場合、印刷済みの用紙を排出トレイから取り上げるタイミングが遅れるため、特許文献１に記載のプリンターは、ユーザーの作業効率を低下させるという問題を有していた。
【０００７】
上記のような問題を解決するためには、装置本体の表面全体を暗い色で着色し、排出トレイを含む装置本体の色と用紙の色との明度差を大きくすることが考えられる。しかしながら、装置本体の表面全体を暗い色で着色した場合、デスクやオフィスの内装の色彩に合わせることができず、ユーザーに違和感を与えるという新たな問題を生じさせていた。
【０００８】
本発明は上記した課題を解決すべくなされたものであり、排出トレイに排出された記録材の確認を容易に行うための画像形成装置を提供することを目的とするものである。
【課題を解決するための手段】
【０００９】
上記した目的を達成するため、本発明の画像形成装置は、シート状の記録材に画像形成処理を施す画像形成部を内包する装置本体と、前記装置本体の上部に配設され、画像形成処理後に排出される前記記録材を受ける排出トレイと、を備え、前記装置本体の上端面は、前記排出トレイの外縁部と同一平面を成し、前記記録材が載置される前記排出トレイの積載面は、暗色で着色され、前記装置本体の上端面および前記排出トレイの外縁部のうち少なくとも一方は、前記排出トレイの積載面よりも明度の高い色で着色される明色部を構成していることを特徴とする。
【００１０】
この構成によれば、排出トレイの積載面が暗色に着色されているため、積載面と排出された記録材（例えば白い普通紙）との間の明度差が大きくなる。したがって、排出された記録材は、積載面から浮き上がったような良好な視認性を有することとなる。これにより、ユーザーは、排出トレイに排出された記録材の確認を容易に行うことができる。一方、排出トレイの積載面の外側には、積載面よりも明るい色で着色された明色部が形成されている。また、装置本体の上端面と排出トレイの外縁部とは、互いに同一平面上にある。したがって、積載面と明色部との間の明度差は、ユーザーに対して明色部が積載面から浮き上がったような印象を与える。つまり、明色部は、積載面を強調して記録材の排出領域を明確にする。これにより、ユーザーは、明色部を目印にして積載面上の記録材を取り出すことができる。
【００１１】
この場合、前記排出トレイは、前記積載面を含むトレイ本体と、前記トレイ本体の一端側から上方に突設され、前記記録材の排出口が形成される段差面を有する凸状部と、を含み、前記段差面は、前記排出口の周囲を暗色で着色し、前記装置本体は、前記段差面の外縁部と同一平面を成す起立面を有し、前記明色部は、前記起立面および前記段差面の外縁部のうち少なくとも一方に形成されていることが好ましい。
【００１２】
この構成によれば、例えば、椅子に着座したユーザーは、デスク上に配置されたプリンターの排出トレイを上側から目視することは困難であるが、積載面に略平行な方向から段差面や起立面を目視することができる。これにより、ユーザーは、周囲を暗色で着色された排出口から排出される記録材（例えば白い普通紙）の排出過程を明確に視認することができる。また、（着座した）ユーザーは、起立面および／または段差面に形成された明色部を目視することができるため、明色部を目印にして積載面の凡その範囲を認識することができる。
【００１３】
この場合、前記明色部は、前記排出トレイの周囲に帯状に連続して形成されていることが好ましい。
【００１４】
この構成によれば、明色部は、排出トレイを囲むように形成されているため、記録材の排出領域（積載面）を更に明確にする。これにより、ユーザーは、積載面およびこの上に排出された記録材を容易に認識することができる。
【００１５】
この場合、前記排出トレイの積載面は、前記外縁部よりも下方に凹設されていることが好ましい。
【００１６】
この構成によれば、積載面は、外縁部よりも下がっているため、排出された記録材を適切に保持することができる。また、画像形成処理を連続して実行する場合に、積載面に載置された記録材が、後から排出される記録材によって押し出され、排出トレイから飛び出すことを防止することもできる。
【００１７】
この場合、原稿の画像情報を読み取る画像読取装置を更に備え、前記装置本体は、前記画像読取装置の下方に設けられ、前記排出トレイは、前記装置本体と前記画像読取装置との間に設けられていることが好ましい。
【００１８】
この構成によれば、所謂胴内排出型の画像形成装置は、排出トレイを目視し難い構造を有しているが、ユーザーは、明色部によって排出トレイ（積載面）の所在を明確に視認することができる。
【発明の効果】
【００１９】
本発明によれば、排出トレイに排出された記録材の確認を容易に行うことができる。
【図面の簡単な説明】
【００２０】
【図１】本発明の第１実施形態に係るプリンターの内部構造の概略を示す模式図である。
【図２】本発明の第１実施形態に係るプリンターを示す斜視図である。
【図３】本発明の第２実施形態に係るプリンターを示す斜視図である。
【図４】本発明の第３実施形態に係る複合機を示す斜視図である。
【発明を実施するための形態】
【００２１】
以下、添付の図面を参照しつつ、本発明の好適な実施形態について説明する。
【００２２】
（第１実施形態）
図１を参照して、第１実施形態に係る画像形成装置としてのプリンター１の概要について説明する。図１はプリンター１の内部構造の概略を示す模式図である。なお、説明の便宜上、各図に示す矢印Ｆｒをプリンター１の正面（前側）とする。
【００２３】
プリンター１は、装置本体２と、給紙カセット３と、画像形成部５と、定着装置６と、排出トレイ７と、制御装置８と、を含んで構成されている。
【００２４】
装置本体２は、プリンター１の外装部材として略立方体状に形成されている。装置本体２は、プリンター１の各構成部材を内包している。給紙カセット３は、装置本体２の下部に配設され、外部に引き出し可能に構成されている。給紙カセット３は、シート状の記録材としての枚葉の用紙Ｓを内部に収納する（収納枚数：最大５００枚程度）。画像形成部５は、給紙カセット３から搬送経路４に供給された用紙Ｓに画像形成処理を施す（トナー像を転写する）。定着装置６は、転写したトナー像を用紙Ｓに定着させる。排出トレイ７は、装置本体２の上部に配設され、画像形成処理後に排出される用紙Ｓを受けるために設けられている。
【００２５】
搬送経路４の下流端部には、装置本体２の内部と外部とを連通させる排出口２０が形成されている。排出口２０の内側近傍には、定着処理後の用紙Ｓを排出トレイ７に向かって送り出す排出ローラー２１が設けられている。なお、記録材は、紙製の用紙Ｓに限らず、樹脂フィルムやＯＨＰシート等であってもよい。
【００２６】
画像形成部５は、補給用のトナーを収納したトナーコンテナ１０と、軸周りに回転可能に設けられる感光体ドラム１１と、を含んで構成されている。感光体ドラム１１の周囲には、帯電器１２と、光走査装置１３と、現像装置１４と、転写ローラー１５と、クリーニング装置１６とが、転写プロセス順に配置されている。
【００２７】
ここで、プリンター１の画像形成処理について簡単に説明する。例えば、プリンター１に接続されたパーソナルコンピューター等から画像データが入力され、印刷開始の指示がなされると、制御装置８は、以下のようにして画像形成処理を実行する。
【００２８】
光走査装置１３は、感光体ドラム１１に向かって画像データに対応したレーザー光（図１の破線矢印参照）を照射する。これにより、帯電器１２によって所定電位に帯電した感光体ドラム１１の表面に静電潜像が形成される。現像装置１４は、トナーコンテナ１０から供給されたトナーによって、静電潜像をトナー像に現像する。
【００２９】
一方、給紙カセット３から供給された用紙Ｓは、搬送経路４を搬送されて感光体ドラム１１と転写ローラー１５との間を通る。そして、転写ローラー１５は、印加された転写バイアスによってトナー像を用紙Ｓに転写する。定着装置６による定着処理後の用紙Ｓは、排出口２０から排出トレイ７上に排出される。なお、感光体ドラム１１上に残留したトナーは、クリーニング装置１６によって回収される。
【００３０】
次に、図２を参照して、排出トレイ７を含む装置本体２の上面構成について説明する。図２はプリンター１を示す斜視図である。
【００３１】
排出トレイ７は、装置本体２のフレーム（図示せず）に取り付けられ、プリンター１の上面を構成している。排出トレイ７は、例えば、合成樹脂材料を用いて、平面視で略矩形状に形成されている。排出トレイ７は、用紙Ｓを載置するための積載面２２と、積載面２２の外周に設けられる外縁部２３と、を含んで構成されている。
【００３２】
積載面２２は、排出可能（画像形成処理を実行可能）な最大の用紙Ｓを載置可能な大きさに形成されている。積載面２２は、用紙Ｓの排出方向下流側（前側）に向かって上り勾配に形成される第１トレイ面２２ａと、第１トレイ面２２ａの前端部に連設されて略水平に形成される第２トレイ面２２ｂと、を有している。第１トレイ面２２ａの後端部は、装置本体２の後側に位置している。第１トレイ面２２ａの後端部と後側外縁部２３ｂ（後述する）との間には、略垂直な段差面２４が形成されている。上記した排出口２０は、積載面２２上に約２５０枚の用紙Ｓを積載できるように段差面２４の上部に形成されている。なお、用紙Ｓの積載可能な枚数は任意に設定してもよい。
【００３３】
外縁部２３は、前側外縁部２３ａと、後側外縁部２３ｂと、右側外縁部２３ｃと、左側外縁部２３ｄと、を有し、積載面２２の外周を囲むように一体形成されている。前側外縁部２３ａは、第２トレイ面２２ｂの前端部を兼ねるように一体形成されている。右側外縁部２３ｃは、平面視で左側外縁部２３ｄよりも僅かに幅広く形成されている。後側外縁部２３ｂは、平面視で右側外縁部２３ｃよりも幅広く形成されている。なお、排出トレイ７の左前角部には、液晶パネルやプッシュボタン等を含む操作部２５が設けられている。ユーザーは、操作部２５を操作することによってプリンター１の各種機能の実行や設定変更を行う。
【００３４】
排出トレイ７の上面全体は、暗色としての黒色で着色されている。つまり、排出トレイ７は、一般的な白色の用紙Ｓ（普通紙）よりも明度の低い色で着色されている。なお、各図では、黒色で着色された部分をドットで表現している。
【００３５】
装置本体２は、前側外装部２ａと、後側外装部２ｂと、右側外装部２ｃと、左側外装部２ｄと、を有している。
【００３６】
４つの外装部２ａ〜２ｄは、例えば、合成樹脂材料を用いて、側面視で略矩形状に形成されている。４つの外装部２ａ〜２ｄは、排出トレイ７の外周を囲むように装置本体２のフレームに取り付けられ、プリンター１の前後左右の外側面を構成している。４つの外装部２ａ〜２ｄの上端面は、それぞれ対応する各外縁部２３ａ〜２３ｄの上面と同一平面上に形成されている。
【００３７】
４つの外装部２ａ〜２ｄは、それぞれ、給紙カセット３が装着される下部を除いて、明色としての白色で着色されている。また、４つの外装部２ａ〜２ｄの上端面は、それぞれ白色で着色されている。これにより、装置本体２の上端面は、排出トレイ７よりも明度の高い色で着色される明色部３０を構成している。明色部３０は、排出トレイ７の周囲に帯状に連続して形成されている。つまり、明色部３０は、平面視で矩形環状に形成されている。なお、各外装部２ａ〜２ｄの下部は、暗色としての黒色で着色されている。
【００３８】
以上説明した第１実施形態に係るプリンター１によれば、排出トレイ７の積載面２２が暗色に着色されているため、積載面２２と排出された一般的な白い用紙Ｓとの間の明度差が大きくなる。したがって、排出された用紙Ｓは、積載面２２から浮き上がったような良好な視認性を有することとなる。これにより、ユーザーは、排出トレイ７に排出された用紙Ｓの確認を容易に行うことができる。
【００３９】
一方、排出トレイ７の積載面２２の外側には、積載面２２よりも明るい色で着色された明色部３０が形成されている。また、装置本体２の上端面は、排出トレイ７の外縁部２３と同一平面を成している。したがって、積載面２２と明色部３０との間の明度差は、ユーザーに対して明色部３０が積載面２２から浮き上がったような印象を与える。つまり、明色部３０は、積載面２２を強調して用紙Ｓの排出領域を明確にする。これにより、ユーザーは、明色部３０を目印にして積載面２２上の用紙Ｓを取り出すことができる。
【００４０】
また、第１実施形態に係るプリンター１によれば、明色部３０は、排出トレイ７を囲むように形成されているため、用紙Ｓの排出領域（積載面２２）を更に明確にする。これにより、ユーザーは、積載面２２およびこの上に排出された用紙Ｓを容易に認識することができる。また、デスクに置いた際に、明色部３０がなく装置本体２の全体が暗色であると、暗い色の塊がユーザーに圧迫感を与えてしまう。暗色の排出トレイ７を明色部３０が囲むことにより、ユーザーは圧迫感を感じなくなる。そして、排出トレイ７に排出された用紙Ｓを明確に視認することができる。
【００４１】
（第２実施形態）
次に、図３を参照して、第２実施形態に係るプリンター４０について説明する。図３はプリンター４０を示す斜視図である。なお、以下、上記した第１実施形態に係るプリンター１と同様の構成については、同一の符号を付し、説明を省略する。
【００４２】
第２実施形態に係るプリンター４０は、第１実施形態に係るプリンター１よりも多くの用紙Ｓを受けることのできる排出トレイ４１を備えている。排出トレイ４１は、トレイ本体４２と、凸状部４３と、を含んで構成されている。
【００４３】
トレイ本体４２は、第１実施形態に係る排出トレイ７と同様に、積載面２２と、外縁部２３（後側外縁部２３ｂを除く）と、を含んで構成されている。凸状部４３は、トレイ本体４２の後端側から上方に突設され、用紙Ｓの排出口２０が形成される段差面４４を有している。
【００４４】
段差面４４は、第１実施形態に係る排出トレイ７の段差面２４の略２倍の高さに形成されている。排出口２０は、積載面２２上に約５００枚の用紙Ｓを積載できるように段差面４４の上部に形成されている。凸状部４３の上面は、後側外縁部２３ｂを構成している。左右一対の外縁部２３ｃ，２３ｄと後側外縁部２３ｂとの間には、左右一対の段差外縁部４４ａが略垂直に形成されている。なお、用紙Ｓの積載可能な枚数は任意に設定してもよい。
【００４５】
積載面２２、外縁部２３および段差面４４等を含む排出トレイ４１の上面全体は、暗色としての黒色で着色されている。
【００４６】
装置本体４５は、前側外装部４５ａと、後側外装部４５ｂと、右側外装部４５ｃと、左側外装部４５ｄと、を有している。
【００４７】
４つの外装部４５ａ〜４５ｄの上端面は、それぞれ対応する各外縁部２３ａ〜２３ｄの上面と同一平面上に形成されている。したがって、右側外装部４５ｃおよび左側外装部４５ｄは、それぞれ、排出トレイ４１の上面の輪郭に沿うように形成されている。具体的には、左右一対の外装部４５ｃ，４５ｄの後側上部は、上方に突出して階段状（クランク状）に形成されている。左右一対の外装部４５ｃ，４５ｄは、それぞれ、段差面４４の外縁部となる段差外縁部４４ａと同一平面を成す起立面４５ｅを有している。
【００４８】
各外装部４５ａ〜４５ｄの外側面（下部を除く）、上端面および起立面４５ｅは白色で着色され、各外装部４５ａ〜４５ｄの外側下部は黒色で着色されている。したがって、明色部３０は、４つの外装部４５ａ〜４５ｄの上端面および左右一対の起立面４５ｅに形成されている。
【００４９】
以上説明した第２実施形態に係るプリンター４０によれば、ユーザーは、プリンター４０の正面や斜め前方から、装置本体４５の起立面４５ｅに形成される明色部３０を目視することができる。例えば、椅子に着座したユーザーは、デスク上に配置されたプリンター４０の排出トレイ４１を上側から目視することは困難であるが、積載面２２に略平行な方向から段差面４４や起立面４５ｅを目視することができる。これにより、ユーザーは、周囲を暗色で着色された排出口２０から排出される記録材（例えば白い普通紙）の排出過程を明確に視認することができる。また、排出口２０は、段差面４４の上部に開口しているため、ユーザーは、用紙Ｓの排出状況を容易に確認することができる。また、（着座した）ユーザーは、起立面４５ｅ（段差面４４）に形成された明色部３０を目視することができるため、明色部３０を目印にして積載面２２の凡その範囲を認識することができる。
【００５０】
なお、第２実施形態に係るプリンター４０は、各段差外縁部４４ａおよび各起立面４５ｅを略垂直に形成したが、本発明はこれに限定されない。例えば、各段差外縁部４４ａおよび各起立面４５は、前側または後側に傾斜していてもよい。
【００５１】
（第３実施形態）
次に、図４を参照して、第３実施形態に係る画像形成装置としての複合機５０について説明する。図４は複合機５０を示す斜視図である。なお、以下、上記した第１実施形態に係るプリンター１と同様の構成については、同一の符号を付し、説明を省略する。
【００５２】
複合機５０は、画像読取装置５１と、プリント装置５２と、を備えている。
【００５３】
画像読取装置５１は、原稿の画像情報を光学的に読み取るスキャナー部５３と、スキャナー部５３の読み取り位置に向かって原稿を搬送する自動原稿送り装置５４と、を有している。プリント装置５２は、画像読取装置５１で読み取られて光電変換された画像データやパソコン等の外部装置から送信された画像データに基づいて、用紙Ｓに画像形成処理を実行する。なお、画像読取装置５１は公知の一般的な構成を有し、プリント装置５２は第１実施形態に係るプリンター１と略同様の構成を有しているため、それらの詳細な説明は省略する。
【００５４】
プリント装置５２の装置本体６０は、画像読取装置５１の下方に空間を挟んで設けられている。装置本体６０の上部には、排出トレイ６１が設けられている。画像読取装置５１は、左右の脚部５５を介して排出トレイ６１（装置本体６０）の後側上面に支持されている。すなわち、排出トレイ６１は、装置本体６０と画像読取装置５１との間に設けられている。排出トレイ６１と画像読取装置５１との間には、排出トレイ６１から用紙Ｓを取り出すための取出開口Ｍが形成されている。なお、操作部２５は、排出トレイ６１では無く、スキャナー部５３の前部に設けられている。
【００５５】
排出トレイ６１は、積載面６２と、外縁部６３と、連接面６４と、によって一体形成されている。
【００５６】
積載面６２は、外縁部６３よりも下方に凹設されている。積載面６２は、第１実施形態に係る積載面２２と同様に、前方に向かって上り勾配となる第１トレイ面６２ａと、略水平となる第２トレイ面６２ｂと、を有している。第２トレイ面６２ｂは、第１トレイ面６２ａよりも左右方向に幅広く形成されている。
【００５７】
外縁部６３は、第１実施形態に係る外縁部２３と同様に、各外縁部２３ａ〜２３ｄ（後側外縁部２３ｂは図示せず）を有している。左右両外縁部２３ｃ，２３ｄの内側には、それぞれ、内側縁面６３ａが形成されている。各内側縁面６３ａの前側は、各外縁部２３ｃ，２３ｄと同一平面上に形成されている。各内側縁面６３ａの後側は、後方に向かって下り勾配に形成されている。各内側縁面６３ａの後端部は、第１トレイ面６２ａと同一平面を成している。連接面６４は、積載面６２と各外縁部２３ａ，２３ｃ，２３ｄ（内側縁面６３ａ）との間に形成されている。連接面６４は、積載面６２から外側に向かって上り勾配に形成されている。
【００５８】
画像読取装置５１（脚部５５を含む）および排出トレイ６１の上面全体は、黒色で着色されている。
【００５９】
装置本体６０は、第１実施形態に係るプリンター１の装置本体２と略同様であって、４つの外装部２ａ〜２ｄ（後側外装部２ｂは図示せず）を有し、プリント装置５２の外周側面を構成している。
【００６０】
白色の明色部３０は、各外装部２ａ〜２ｄの上端面によって形成されている。この複合機５０では排出トレイ６１の後側に画像読取装置５１が載置されているため、明色部３０の後側半分以上は、画像読取装置５１（脚部５５）に覆われている。したがって、明色部３０の前部（前側外装部２ａの上端面および左右一対の外装部２ｃ，２ｄの前側上端面）が、取出開口Ｍに露出している。
【００６１】
以上説明した第３実施形態に係る複合機５０によれば、積載面６２は、外縁部６３よりも下がっているため、排出された用紙Ｓを適切に保持することができる。また、画像形成処理を連続して実行する場合に、積載面６２に載置された用紙Ｓが、後から排出される用紙Ｓによって押し出され、排出トレイ６１から飛び出すことを防止することもできる。
【００６２】
また、積載面６２が外縁部６３から一段下がっているため、取出開口Ｍの高さを確保することができる。これにより、装置本体６０と画像読取装置５１との間に排出トレイ６１を配置した所謂胴内排出型の複合機５０であっても、ユーザーは、積載面６２上の用紙Ｓを容易に取り出すことができる。なお、第３実施形態に係る複合機５０は、排出トレイ６１に代えて、第１または第２実施形態に係る排出トレイ７，４１を採用することもできる。
【００６３】
また、第３実施形態に係る複合機５０によれば、所謂胴内排出型の複合機５０は、排出トレイ６１を目視し難い構造を有しているが、ユーザーは、明色部３０によって排出トレイ６１（積載面６２）の所在を明確に視認することができる。
【００６４】
なお、以上説明した各実施形態に係るプリンター１，４０や複合機５０は、排出トレイ７，４１，６１全体を暗色で着色していたが、本発明はこれに限定されない。排出トレイ７，４１，６１のうち少なくとも積載面２２，６２および段差面２４，４４（排出口２０の周囲）が、暗色で着色されていればよい。
【００６５】
なお、各実施形態に係るプリンター１，４０や複合機５０は、装置本体２，４５，６０の上端面に明色部３０を構成したが、本発明はこれに限定されない。明色部３０は、装置本体２，４５，６０の上端面および排出トレイ７，４１，６１の外縁部２３，６３（２３ａ〜２３ｄ）のうち少なくとも一方に形成されていればよい。例えば、明色部３０は、装置本体２，４５，６０の上端面に代えて、排出トレイ７，４１，６１の外縁部２３，６３に形成してもよい。
【００６６】
なお、第２実施形態に係るプリンター４０において明色部３０は、起立面４５ｅおよび段差外縁部４４ａのうち少なくとも一方に形成されていればよい。なお、第３実施形態に係る複合機５０において明色部３０は、内側縁面６３ａに形成されていてもよい。
【００６７】
なお、各実施形態に係るプリンター１，４０や複合機５０は、明色部３０を帯状に連続する環状に形成したが、本発明はこれに限定されない。明色部３０を不連続に形成してもよい。例えば、装置本体２，４５，６０の４つの角部分にのみ明色部３０を形成してもよいし、装置本体２，４５，６０の四方の直線部分にのみ明色部３０を形成してもよい。また、明色部３０は、複数の色を交互に配色（縞模様）してもよい。
【００６８】
なお、各実施形態に係るプリンター１，４０や複合機５０は、排出トレイ７，４１，６１を黒色で着色し、装置本体２，４５，６０（明色部３０）を白色で着色したが、本発明はこれに限定されない。例えば、排出トレイ７，４１，６１を明度の低い灰色や濃紺色で着色してもよいし、明色部３０を明度の高い灰色やクリーム色で着色してもよい。なお、排出トレイ７，４１，６１の色と用紙Ｓの色（白色）との明度差は、マンセル表色系で３以上になるように設定することが好ましい。また、明色部３０の色の明度は、マンセル表色系で７以上になるように設定することが好ましい。
【００６９】
なお、装置本体２，４５，６０や排出トレイ７，４１，６１の着色方法は任意であり、例えば、着色済みの樹脂原料を用いてもよいし、塗装によって着色してもよい。
【００７０】
なお、各実施形態では、一例として、本発明を単色のプリンター等に適用した場合を説明したが、これに限らず、例えば、フルカラープリンターやファクシミリ等に本発明を適用してもよい。
【００７１】
なお、上記した本発明の実施の形態の説明は、本発明に係る画像形成装置における好適な実施の形態を説明しているため、技術的に好ましい種々の限定を付している場合もあるが、本発明の技術範囲は、特に本発明を限定する記載がない限り、これらの態様に限定されるものではない。さらに、上記した本発明の実施の形態における構成要素は適宜、既存の構成要素等との置き換えが可能であり、かつ、他の既存の構成要素との組合せを含む様々なバリエーションが可能であり、上記した本発明の実施の形態の記載をもって、特許請求の範囲に記載された発明の内容を限定するものではない。
【符号の説明】
【００７２】
１，４０  プリンター（画像形成装置）
２，４５，６０  装置本体
５  画像形成部
７，４１，６１  排出トレイ
２０  排出口
２２，６２  積載面
２３，６３  外縁部
２４，４４  段差面
３０  明色部
４２  トレイ本体
４３  凸状部
４５ｅ  起立面
５０  複合機（画像形成装置）
５１  画像読取装置
Ｓ  用紙（記録材）
【図１】
2015202939.tif 000003
【図２】
2015202939.tif 000004
【図３】
2015202939.tif 000005
【図４】
2015202939.tif 000006